(57)【特許請求の範囲】
【請求項１】
少なくとも一つのガス圧力容器を保持するためのハーネス（１）であって、そのハーネスが背板（２）、背板（２）の第一側上に取り付けられたガス圧力容器保持手段、背板（２）を左および右部に分割する対称線（２７）のそれぞれの側に配置された二つの長い支持手段（２８，２９）を含み、このそれぞれの長い支持手段（２８，２９）の第一端が背板（２）の上方部に取り付けられその反対側の第二端が背板（２）の下方部に取り付けられており、そのハーネスが更に背板（２）の下方部に取り付けられた腰ベルト（２６）を含むものにおいて、少なくとも実質的に堅くかつ背板（２）と平行でありかつ第一ピボット点（２５）により背板（２）に旋回自在に取り付けられている第一素子（２４）が背板（２）の第二側上の下方部に取り付けられていること、長い支持手段（２８，２９）の第二端の各々がピボット点（２５）の左右それぞれの側で第一素子（２４）に取り付けられていることを特徴とするハーネス。
【請求項２】
第一ピボット点（２５）が対称線（２７）上に位置することを特徴とする請求の範囲１に記載のハーネス。
【請求項３】
第一素子（２４）がピボット点（２５）と間隔を置かれた関係で前記対称線と平行に延びるヒンジ線（３３）を含む長い板状素子であり、かくしてそれぞれのヒンジ線（３３）の外側に位置する素子（２４）の部分を背板（２）から離れる方に前方に折り曲げまたは揺動させることを可能とすること、および長い支持手段（２８，２９）が前記第一素子のこれらの折り曲げ可能部分に取り付けられていることを特徴とする請求の範囲１または２に記載のハーネス。
【請求項４】
腰ベルト（２６）が背板（２）の第二側上の第二ピボット点（１４）で旋回自在に取り付けられていることを特徴とする請求の範囲１−３のいずれかに記載のハーネス。
【請求項５】
腰ベルト（２６）が背板（２）と平行に延びる少なくとも実質的に堅い第二素子（１３）、および第二素子（１３）に一端が結合されている二つの柔軟なストラップ部（９，１０）を含むこと、第二素子（１３）が前記第二ピボット点（１４）で前記背板（２）に旋回自在に取り付けられていることを特徴とする請求の範囲４に記載のハーネス。
【請求項６】
第二素子（１３）が腰ベルト（２６）の回転運動を制限するように背板（２）と共働する手段（１５，１６）を含むことを特徴とする請求の範囲５に記載のハーネス。
【請求項７】
第二ピボット点（１４）が第一ピボット点（２５）と一致すること、および第一素子（２４）が背板（２）と第二素子（１３）の間に位置することを特徴とする請求の範囲５または６に記載のハーネス。
【請求項８】
共通第一および第二ピボット点（２５，１４）が垂直隙間内に位置すること；および弾性または弾力性装置（１９）が共通ピボット点（２５，１４）を前記隙間の上方位置の方に引っ張るように共通ピボット点（２５，１４）を背板（２）の上方部と結合することを特徴とする請求の範囲７に記載のハーネス。
【請求項９】
第一ピボット点（２５）が第二ピボット点（１４）の上に位置することを特徴とする請求の範囲５または６に記載のハーネス。
【請求項１０】
第一ピボット点（２５）が第二ピボット点（１４）の下に位置することを特徴とする請求の範囲５または６に記載のハーネス。
【請求項１１】
第二素子（１３）が腰ベルトの縦方向と平行に延びる板のそれぞれの上方縁（２３）に沿って一緒にヒンジ結合されている二つの相互に平行なかつ少なくとも実質的に堅い板（２１，２２）を含むこと；第一の板（２１）が第二ピボット点で旋回自在に取り付けられていること；および第二の板（２２）がその他は柔軟な腰ベルト（２６）の少なくとも実質的に堅い部分であることを特徴とする請求の範囲７−１０のいずれかに記載のハーネス。
【請求項１２】
長い支持手段（２８，２９）の第一端が相互に間隔を置いた関係で少なくとも実質的に堅い第三素子（１７）に取り付けられていること；および第三素子（１７）が対称線（２７）上に位置する第三ピボット点（１８）で背板（２）の上方部に旋回自在に取り付けられていることを特徴とする請求の範囲１−１１のいずれかに記載のハーネス。
【請求項１３】
第三ピボット点（１８）が垂直隙間（３０）内に位置すること；および弾性または弾力性装置（１９）が第三ピボット点（１８）を第二ピボット点（１４）または背板（２）の下方部と結合し、それにより第三ピボット点（１８）をその隙間の底位置の方へ引っ張ることを特徴とする請求の範囲１２に記載のハーネス。
【請求項１４】
少なくとも一つのガス圧力容器を保持するためのハーネスであって、そのハーネスが背板（２）、背板（２）の第一側上に取り付けられたガス圧力容器保持手段、背板（２）と平行でかつ背板（２）と平行な旋回運動のためにピボット点（１８）で背板上に取り付けられた少なくとも実質的に堅い素子（１７）、背板（２）を左および右部に分割する対称線（２７）のそれぞれの側で背板（２）の第二側上に配置された二つの長い支持手段（２８，２９）を含み、それぞれの長い支持手段（２８，２９）の第一端がピボット点（１８）の左右それぞれの側で素子（１７）に取り付けられているものにおいて、ピボット点（１８）が背板（２）に設けられた垂直隙間（３０）内に位置していること；および前記ピボット点（１８）がピボット点（１８）を前記隙間（３０）の下方位置の方へ引っ張る機能をする弾性または弾力性装置（１９）によって背板（２）の下方部に連結されていることを特徴とするハーネス。
【発明の詳細な説明】
本発明は少なくとも一つのガス圧力容器を保持するためのハーネス（harness）に関する。このハーネスは背板、背板の第一側上に取り付けられたガス圧力容器保持手段、背板を左および右部に分割する対称線のそれぞれの側に配置された二つの長い支持手段を含み、更に支持手段の第一端が背板の上方部に取り付けられ前記支持手段と反対側の第二端が背板の下方部に取り付けられており、前記ハーネスは更に背板の下方部に取り付けられている腰ベルトを含んでいる。
この種の担持ハーネスはまた水中ダイバーによって使用することもできるが、特に消防士用を意図している。
この種のハーネスは加圧呼吸ガスを含む少なくとも一つのガス容器を保持するための保持器をその下方端（人に直立状に取り付けたとき）に備えている通常硬直なまたは堅い背板を含む。このハーネスはガス容器、すなわち典型的にガス瓶またはガスボンベ、を背板に対してしっかりと保持する機能をしガス容器を背板の上方部の水準で抱きかかえるストラップ、またはガス瓶を背板に対して保持する機能をする何らかの他の手段を通常含む。
種々の物品を保持および／または運搬するためのハーネスがＵＳ特許４６７６４１８に開示されている。このハーネスは：
貯蔵部が取り付けられている枠体または背板、着用者の肩の周りに輪を作るためのかつ背板に結合された肩ストラップ、着用者に関して横方向に旋回可能であるように着用者の背中にほぼ平行な面内で旋回運動するために背板に取り付けられた腰板、及びこの腰板に固定されており、着用者の腰の周りに締め付けて腰板を所定位置に保持するための腰ベルト、
を含む。この腰板の旋回運動を制限するための更なる手段が記述されている。
更に、ノルウェー特許明細書５７４４５から、別のハーネスが知られている。このハーネスは：
貯蔵部が取り付けられている枠体または背板、着用者に関して横方向に旋回可能であるように着用者の背中にほぼ平行な面内で旋回運動するために背板に取り付けられた肩板、着用者の肩の周りに輪を作るためのかつ背板に結合された肩板端部に取り付けられた肩ストラップ、
を含む。
本発明の一つの目的はより適応性のあるかつ今迄知られたハーネスより使用者により快適と感じさせるであろうハーネスを提供することにある。
本発明の別の目的はこの種の知られたハーネスより容易にかつ効果的に使用者の体の動きに適合するであろうハーネスを提供することにある。
即ち、本発明は呼吸ガス圧力容器を支持し、かつ背板、少なくとも一つの（しばしば二つである）ガス充填圧力容器を保持し支持するための背板の第一側上に設けられた手段、背板の第二側上の二つの上方支持ストラップ（ここで前記ストラップの第一端は互いに間隔を置いた関係で背板の上方部に取り付けられている）、二つの下方支持ストラップ（ここで前記ストラップの第一端は互いに間隔を置いた関係で背板の下方部に取り付けられている）、上方および下方支持ストラップを対をなして結合するための手段、および背板の下方部に取り付けられている腰ベルトを含むハーネスに関する。本発明のハーネスはそれが背板の第二側上の下方部に背板と平行に延びかつ第一ピボット点で背板上に旋回自在に取り付けられている少なくとも実質的に堅い第一素子を含み、更に長い支持手段の第二端の各々が前記ピボット点のそれぞれの側で第一素子に取り付けられていることにより主として特徴づけられる。
第一ピボット点は対称線上に位置することが特に好ましい。第一素子は有利には長い板状素子の形を持ち、その端部分は前記ピボット点に関して対称的に、対称線と平行に、かつ対称線から一定の距離にあるそれぞれのピボット線の周りに揺動することができる。すなわちピボット線の外側に位置する（すなわち対称線からより大きな距離にある）素子の部分は背板の前方に旋回することができ、そこでは長い支持手段は背板に対して相対的に揺動することができる前記素子部分に取り付けられる。
別の好ましい実施例によれば、腰ベルトは第二ピボット点で背板の第二側上に旋回自在に取り付けられる。
本発明の更に好ましい実施例によれば、腰ベルトは背板に平行に延びる少なくとも実質的に堅い第二素子、および第二素子にそれぞれの端が結合されている二つの柔軟なストラップ部分を含み、そこでは第二素子が第二ピボット点で背板に旋回自在に取り付けられている。
さらに別の好ましい実施例によれば、本発明は加圧呼吸ガス容器を運搬するためのハーネスに関し、このハーネスは背板、少なくとも一つの（しばしば二つである）ガス充填圧力容器を保持し支持するための背板の第一側上の手段、および背板の他の側上の二つの上方支持ストラップ（ここでこの支持ストラップの第一端は相互に間隔を置いた関係で背板の上方部に取り付けられている）、二つの下方支持ストラップ（ここで前記ストラップの第一端は相互に間隔を置いた関係で背板の下方部に取り付けれている）、上方および下方ストラップを相互に結合するための手段、および背板の下方部に取り付けられている腰ベルトを含む。本発明はハーネスが背板の第二側上に少なくとも実質的に堅くかつ背板と平行な第三の素子を含み、ここでこの第三素子が対称線上の第三ピボット点で背板に旋回自在に取り付けられており、更に長い支持手段の第一端の各々が前記ピボット点ののそれぞれの側で第三素子に取り付けられていることにより主として特徴づけられる。
本発明のさらなる実施例は添付図面に関してなされる以下の例示的実施例の詳細な説明から明らかになるであろう、図において
図１は従来周知のハーネスの概略的正面図であり；
図２は本発明のハーネスの好ましい実施例の概略的正面図であり；
図３は本発明のハーネスの別の好ましい実施例の概略的正面図であり；そして
図４は対称線を通して見た、図２に示したハーネスの部分の概略的断面図である。
図１は堅い背板２を含む典型的なハーネス１の正面図である。ハーネス１が使用されるとき、すなわち直立した人によって着用されるとき、背板２の示された側は着用者の背中と接触するであろう。背板２のその反対側の下方部に設けられているのは、一つまたは二つの呼吸ガス圧力容器を支持する機能をする装置（図示せず）である。示されていないけれども、背板２の上方半分はこの容器（すなわちガスボンベ）を抱きかかえ、背板２に対して固定されたこの容器を保持するストラップをそこに結合している。
二つの上方支持ストラップ３，４が相互に間隔を置いた関係で背板２の上方部に取り付けられている。二つの下方支持ストラップ５，６が相互に間隔を置いた関係で背板２の下方部に取り付けられている。背板２に固定されていないストラップ３−６の端部はそれぞれのストラップ３，５および４，６を相互に結合するそれぞれのバックル手段７，８によって対をなして連結される。ストラップ３，５および４，６はそれぞれ支持装置２８および２９を形成する。支持装置２８および２９は背板２と共にその寸法をバックル７，８の助けにより調整できる閉鎖輪を形成する。
腰ベルト２６は二つのベルト部９，１０を含み、このベルトの端部は相互に間隔を置いた関係で背板２の下方部に取り付けられている。背板２から遠方側に位置する二つの腰ベルト部９，１０の端部はベルトの長さを調整可能とするそれぞれのバックル部１１，１２により一緒に連結されることができる。腰ベルト部９，１０および背板２により形成された輪の寸法はバックル１１，１２により調整されることができる。バックル１１，１２は腰ベルト２６の一部である。
前記の周知のハーネスに対応する本発明の第一実施例のハーネス１の対応部分は上に用いられたそれらと同じ参照番号によって識別されている。図２の例では、二つの下方支持ストラップ５，６は第一ピボット点２５の周りの旋回運動のために背板２に旋回自在に取り付けられている第一の板状素子２４に取り付けられている。ピボット点２５は好ましくは背板２の対称線２７の下方部に位置するであろうが、それは前記対称線の直ぐ隣にたぶん位置することもできる。平面素子２４は例えば背板２に対して素子２４を保持するピボット軸またはピンによりピボット点２５で背板２に旋回自在に取り付けられる。このピボット軸２５は素子２４および背板２の面に垂直に延びている。
図３に示されるように、第一素子２４は好ましくは長い板状素子であり、その外方部はピボット点２５と間隔を置いた関係で対称的に、対称線２７に平行に旋回または揺動できる。これは前記素子の前記外方端を背板２から離れる方向の前方に折り曲げることを可能にするような、素子２４の長軸に横断的に延びるヒンジ線３３により達成される。支持装置２８，２９は背板２のこれらの旋回部分に取り付けられる。
図２から明らかなように、腰ベルト部９，１０は背板２の他方側に取り付けられた板状の第二素子１３の外方端に取り付けられている。平面第一素子２４と同様に、平面第二素子１３はこの素子を背板２に対して保持する機能をするピボット点１４で背板２に旋回自在に取り付けられており、前記ピボット点は例えばピボット軸の形を持つ。ピボット軸またはピボット点１４は素子１３および背板２の面に垂直に配置されている。腰ベルト２６はこれに代えて背板２に旋回自在に結合されている一体構造であることができる。腰ベルト２６はまた図１に示された、すなわち背板２に取り付けられた態様で構成することもできる。
図３は好ましい実施例を示し、そこでは第二素子１３はピボット点１４から等距離の間隔を置かれている二つのスロット１６を含み、このスロットは背板２のそれぞれのピン１５と共働する。これらのスロット１６は腰ベルト２６がピボット点１４の周りに揺動される範囲を制限する。ピン１５は好ましくは第二素子１３をより効果的に背板２に対して保持するためにかつより安定なハーネス１を得るために頭部付きピンである。当然のことながら、スロット１６は背板２にそしてピンは素子１３に設けることができる。
平面第一素子２４はまた便宜的には第二素子１３の動きを限界付ける装置に対応する運動制限装置を設けることができる。素子２４の背板２との接触を強化し、それによりより安定なハーネスを提供することが有利である。
図３の実施例の場合において、上方支持ストラップ３，４はまた第三板状素子１７に取り付けられている。この第三素子は背板２の上方部に堅く配置されることができるが、好ましくは背板２の上方部の対称線上のピボット点１８を持って前記板２の上方部に旋回自在に取り付けることができる。この場合相互に共働するスロットとピンの助けにより、第三素子１７の背板２との接触を強化し、それによりハーネスの安定性を改良することが有利である。
第三素子１７が旋回するピボット軸１８はそれに代えて対称線２７に沿って延びる隙間３０内に取り付けることができる。隙間３０は背板２に設けられている。第三ピボット点、ピボット軸１８は第二ピボット点１４または背板２の下方部に弾性または弾力性装置１９により連結されている。この装置は第三ピボット点１８を隙間の下方位置の方に引っ張る機能をする。これに代えて、隙間３０′が第三素子１７に設けられてもよく、その場合弾性または弾力性装置１９は第三素子１７を第二ピボット点１４または背板２の下方部に結合する。どちらが用いられるにしろ、素子１７が第二ピボット点１４または背板２の下方部に関して可動であることが必須である。
かくして、本発明のハーネスの第三素子１７は背板２に堅く結合されるか、またはそれに旋回自在に結合されるかのいずれでもよく、前記上方支持ストラップ３，４は前記第三素子に結合されている。旋回運動の配置は第三素子をそれぞれ第一および第二素子２４および１３に関して動かすことを可能とするようにすることができる。腰ベルト装置９，１０の一部である第二素子１３は背板２に堅くまたはピボット的に取り付けることができる。
好ましい実施例（図４参照）によれば、第二素子１３は一方が他方の上に載った二つの相互に平行な、平坦な板２１および２２からなる。第一の板２１は第一素子２４と同じ方式で背板２に固定することができる。第一の板２１は背板２と第二の板２２の間に置かれる。二つの板２１，２２は例えばヒンジ手段２３によりそれらの上端で相互にヒンジ結合されている。腰ベルトの柔軟部分は第二の板２２に、先の実施例による第一素子１３と同様な方式で、結合されている。
先の実施例の素子１３に関して述べた如く、ピボット点１４の外側の第一の板２１内／上にスロットおよびピンを設けることができる。また対応する共働手段を第三素子１７および背板２上に設けることができる。
更なる実施例の場合においては、第一素子２４のピボット点２５は第二素子１３のピボット点１４の下に位置する。素子２４と１３間の距離は素子２４と１３が対称線２７の一方側で互いの方に動くときでさえも互いに接触することなく前記素子が自由に回転できるようなものである。
更に別の実施例の場合においては、第一素子２４のピボット点２５は第二素子１３のピボット点１４の上に位置する。素子２４と１３の間の距離は前記素子が対称線２７の一方側で互いの方に動くときでさえも互いに接触することなく前記素子が回転できるようなものである。
特に好ましい一実施例においては、第一と第二ピボット点２５，１４は相互に一致しており、かくして共通ピボット軸上に着座している。この場合、第一素子２４が背板２と第二素子１３の間に位置するのが好ましい。共通ピボット軸２５，１４はまた背板２の隙間内に取り付けることができ、弾性または弾力性素子１９の一端に結合され、その他端が背板２の上方部またはピボット軸１８に取り付けられる。もちろん、隙間はこれに代えて背板２の代わりに素子１３および１４に設けることができるが、重要なことは前記の相対的運動が達成されることである。
【図１】
0003919225.tif 000002
【図４】
0003919225.tif 000003
【図２】
0003919225.tif 000004
【図３】
0003919225.tif 000005